(57)【要約】【課題】  トナー像を転写させた後の像保持部材の表面に固形潤滑剤からブラシローラによって掻き取った潤滑剤を付与するにあたり、像保持部材や固形潤滑剤に対するブラシローラの押圧力を小さくしても、適当量の潤滑剤がブラシローラから像保持部材の表面に適切に安定して供給されるようにする。【解決手段】  トナー像を転写させた後の像保持部材１０の表面に固形潤滑剤３２からブラシローラ３１によって掻き取った潤滑剤を付与するにあたり、ブラシローラのブラシとして、繊維太さが２〜８デニールの範囲、繊維密度が５０×１０３〜１５０×１０３本／ｉｎｃｈ２の範囲、ブラシ高さが１．５〜２．５ｍｍの範囲のループ状ブラシ３１ｂを用いると共に、固形潤滑剤の密度を０．８〜１．１ｇ／ｃｍ３の範囲にした。【選択図】  図２
2010185896.tif 000002
【特許請求の範囲】
【請求項１】
トナー像を保持して移動する像保持部材からトナー像を転写させる位置よりも像保持部材の移動方向下流側の位置に、上記の像保持部材の表面に潤滑剤を供給する潤滑剤供給手段として、固形潤滑剤と、この固形潤滑剤に接触しながら回転して潤滑剤を像保持部材の表面に供給するブラシローラと、上記の固形潤滑剤をブラシローラに押圧させる押圧手段とが設けられた画像形成装置において、上記のブラシローラにおけるブラシがループ状ブラシで構成され、このループ状ブラシの繊維太さが２〜８デニールの範囲、繊維密度が５０×１０３〜１５０×１０３本／ｉｎｃｈ２の範囲、ブラシ高さが１．５〜２．５ｍｍの範囲のものが用いられると共に、上記の固形潤滑剤の密度が０．８〜１．１ｇ／ｃｍ３の範囲であることを特徴とする画像形成装置。
【請求項２】
請求項１に記載の画像形成装置において、上記のブラシローラにトナーの帯電極性と同極性のバイアス電圧が印加されることを特徴とする画像形成装置。
【請求項３】
請求項１又は請求項２に記載の画像形成装置において、上記の潤滑剤供給手段よりも像保持部材の移動方向下流側の位置における像保持部材の表面に押圧させて、像保持部材の表面に供給された潤滑剤を像保持部材の表面に塗布させる押圧部材が設けられていることを特徴とする画像形成装置。
【請求項４】
請求項１〜請求項３の何れか１項に記載の画像形成装置において、上記の固形潤滑剤の材料がステアリン酸亜鉛であることを特徴とする画像形成装置。
【発明の詳細な説明】
【技術分野】
【０００１】
本発明は、複写機，プリンタ，ファクシミリ及びこれらの複合機などの画像形成装置に係り、トナー像を保持して移動する像保持部材からトナー像を転写させる位置よりも像保持部材の移動方向下流側の位置に、上記の像保持部材の表面に潤滑剤を供給する潤滑剤供給手段として、固形潤滑剤と、この固形潤滑剤に接触しながら回転して潤滑剤を像保持部材の表面に供給するブラシローラと、上記の固形潤滑剤をブラシローラに押圧させる押圧手段とが設けられた画像形成装置において、像保持部材や固形潤滑剤に対するブラシローラの押圧力を小さくしても、ブラシローラによって適当量の潤滑剤が像保持部材の表面に適切に安定して供給されるようにした点に特徴を有するものである。
【背景技術】
【０００２】
複写機，プリンタ，ファクシミリ及びこれらの複合機などの画像形成装置においては、トナー像を保持して移動する像保持部材からトナー像を記録シートや中間転写体等の被転写部材に転写させた後、この像保持部材の表面にクリーニングブレードの端部を圧接させて、この像保持部材の表面に残留しているトナー等の残留物を除去することが行われている。
【０００３】
ここで、上記のようにトナー像を転写させた後における像保持部材の表面にクリーニングブレードを圧接させて、この像保持部材の表面に残留しているトナー等の残留物を除去する作業を長く続けると、クリーニングブレードの端部が摩耗してクリーニング性能が低下したり、また像保持部材の表面が摩耗して、像保持部材の寿命が短くなったりする等の問題があった。
【０００４】
このため、従来においては、像保持部材の表面におけるトナー像を記録シート等の被転写部材に転写させた後、この像保持部材の表面に潤滑剤供給手段から金属石鹸等の潤滑剤を供給し、この潤滑剤により像保持部材の表面における摩擦係数を減少させ、クリーニングブレードの端部や像保持部材の表面の摩耗を抑制すると共に、像保持部材の表面の離型性を高め、像保持部材の表面に形成されたトナー像を上記の被転写部材に適切に転写させるようにすることが行われている。
【０００５】
ここで、上記のようにトナー像を被転写部材に転写させた後の像保持部材の表面に潤滑剤供給手段から潤滑剤を供給するにあたり、特許文献１に示されるように、固形潤滑剤からブラシローラによって潤滑剤を掻き取り、トナー像を転写させた後の像保持部材の表面にこのブラシローラを接触させて、掻き取った潤滑剤を像保持部材の表面に付与した後、この像保持部材の表面にクリーニングブレードの端部を圧接させて、像保持部材の表面に残留しているトナー等の残留物を除去すると共に、上記の潤滑剤を像保持部材の表面に塗布させるようにしたものが提案されている。
【０００６】
そして、この特許文献１においては、上記のよう固形潤滑剤からブラシローラによって掻き取った潤滑剤を像保持部材の表面に塗布させるにあたり、潤滑剤の塗布を長期にわたって安定して維持させるため、上記のブラシローラとして、７．５〜１５デニールのブラシ繊維を回転支持軸の周面に２００００〜６００００本／（インチ）２の密度で設けたものを用いると共に、上記の固形潤滑剤に、鉛筆硬度でＨ，Ｆ，ＨＢ又はＢの硬度のもの用い、上記のブラシローラに対する圧力を１．１８Ｎ／ｍ以下にし、ブラシローラに対する固形潤滑剤の圧力を小さくして、ブラシローラにおけるブラシの永久歪みを防止するようにしたものが提案されている。
【０００７】
ここで、この特許文献１のものにおいては、上記のブラシローラにおけるブラシが直毛であるため、固形潤滑剤から潤滑剤を掻き取る能力が低く、潤滑剤を十分に像保持部材の表面に供給することができず、また固形潤滑剤から潤滑剤を十分に掻き取るために、ブラシ繊維を太くすると、このブラシとの接触によって像保持部材の表面が傷ついたりする等の問題があり、またブラシの密度を高くしないと、像保持部材の表面に残留しているトナー等の残留物や掻き取った潤滑剤がブラシの内部に入り込んで、潤滑剤を掻き取る能力がさらに低下する等の問題もあった。
【先行技術文献】
【特許文献】
【０００８】
【特許文献１】特開２００３−５７９９６号公報
【発明の開示】
【発明が解決しようとする課題】
【０００９】
本発明は、トナー像を保持して移動する像保持部材からトナー像を被転写部材に転写させた後、この像保持部材の表面に、固形潤滑剤からブラシローラによって掻き取った潤滑剤を供給するようにした画像形成装置における上記のような問題を解決することを課題とするものである。
【００１０】
すなわち、本発明においては、像保持部材や固形潤滑剤に対するブラシローラの押圧力を小さくしても、ブラシローラにより固形潤滑剤から適当量の潤滑剤が掻き取られて、像保持部材の表面に適当量の潤滑剤に安定して供給され、像保持部材の表面に適当量の潤滑剤が安定して塗布されて、クリーニングブレードの端部や像保持部材の表面の摩耗が抑制され、長期にわたって安定した画像形成が行えるようにすることを課題とするものである。
【課題を解決するための手段】
【００１１】
本発明においては、上記のような課題を解決するため、トナー像を保持して移動する像保持部材からトナー像を転写させる位置よりも像保持部材の移動方向下流側の位置に、上記の像保持部材の表面に潤滑剤を供給する潤滑剤供給手段として、固形潤滑剤と、この固形潤滑剤に接触しながら回転して潤滑剤を像保持部材の表面に供給するブラシローラと、上記の固形潤滑剤をブラシローラに押圧させる押圧手段とが設けられた画像形成装置において、上記のブラシローラにおけるブラシをループ状ブラシで構成し、このループ状ブラシの繊維太さが２〜８デニールの範囲、繊維密度が５０×１０３〜１５０×１０３本／ｉｎｃｈ２の範囲、ブラシ高さが１．５〜２．５ｍｍの範囲のものを用いると共に、上記の固形潤滑剤の密度を０．８〜１．１ｇ／ｃｍ３の範囲にしたのである。
【００１２】
また、この画像形成装置においては、上記のブラシローラにトナーの帯電極性と同極性のバイアス電圧を印加させることが好ましい。
【００１３】
そして、この画像形成装置においては、上記の潤滑剤供給手段よりも像保持部材の移動方向下流側の位置における像保持部材の表面に押圧させて、像保持部材の表面に供給された潤滑剤を像保持部材の表面に塗布させる押圧部材を設けるようにする。ここで、この押圧手段としては、像保持部材からトナー像を転写させた後、この像保持部材の表面に残留するトナー等を除去するクリーニング部材を利用することができる。
【００１４】
また、この画像形成装置において、上記の固形潤滑剤の材料としては、例えば、ステアリン酸亜鉛、ステアリン酸マグネシウム、ステアリン酸リチウム等の脂肪酸金属塩を用いることができ、特に、成膜性に優れると共に摩擦抵抗が低いステアリン酸亜鉛を用いることが好ましい。
【発明の効果】
【００１５】
本発明の画像形成装置においては、トナー像を保持して移動する像保持部材からトナー像を転写させた後、この像保持部材の表面に固形潤滑剤からブラシローラによって掻き取った潤滑剤を付与するにあたり、上記のようにブラシローラにおけるブラシにループ状ブラシを用いたため、直毛のブラシを用いた場合に比べて、固形潤滑剤から潤滑剤を掻き取る能力が向上すると共に、このブラシローラによって掻き取られた潤滑剤が像保持部材の表面に適切に供給されるようになり、さらに像保持部材の表面に残留しているトナー等の残留物や掻き取った潤滑剤がブラシの内部に入り込むのも抑制され、固形潤滑剤から潤滑剤を掻き取る能力が次第に低下するのも防止されるようになる。
【００１６】
このため、このブラシローラにおけるループ状ブラシにおいて、上記のようにループ状ブラシの繊維太さが２〜８デニールの範囲、繊維密度が５０×１０３〜１５０×１０３本／ｉｎｃｈ２の範囲、ブラシ高さが１．５〜２．５ｍｍの範囲で、繊維太さが細いものや、繊維密度が小さいものを用い、像保持部材や固形潤滑剤に対するブラシローラの押圧力を小さくしても、ブラシローラによって適当量の潤滑剤が像保持部材の表面に適切に安定して供給されると共に、ブラシローラとの接触によって像保持部材の表面が傷つくのも抑制されるようになる。
【００１７】
この結果、本発明の画像形成装置においては、像保持部材の表面に適当量の潤滑剤が安定して塗布されるようになり、クリーニングブレードの端部や像保持部材の表面が摩耗するのが抑制され、長期にわたって安定した画像形成が行えるようになる。
【００１８】
また、この画像形成装置において、上記のブラシローラにトナーの帯電極性と同極性のバイアス電圧を印加させると、像保持部材の表面に残留しているトナー等の残留物がこのブラシローラにおけるループ状ブラシに付着するのが抑制され、固形潤滑剤から潤滑剤を掻き取る能力が低下するのがより一層防止されるようになる。
【図面の簡単な説明】
【００１９】
【図１】本発明の実施形態に係る画像形成装置を示した概略説明図である。
【図２】上記の実施形態の画像形成装置において、トナー像を転写させた後の感光体ドラムの表面に潤滑剤供給手段から潤滑剤を供給した後、第１クリーニング装置に設けた第１クリーニングブレードの端部を感光体ドラムの表面に圧接させて、感光体ドラムの表面に残留するトナーを除去すると共に、感光体ドラムの表面に供給された潤滑剤を感光体ドラムの表面に塗布させる状態を示した概略説明図である。
【図３】上記の実施形態の画像形成装置に使用するブラシローラにおいて、回転ローラの外周に巻き付けられる多数のループ状ブラシが設けられた基布の部分説明図である。
【発明を実施するための最良の形態】
【００２０】
次に、この発明の実施形態に係る画像形成装置を添付図面に基づいて具体的に説明する。なお、本発明に係る画像形成装置は、下記の実施形態に示したものに限定されず、その要旨を変更しない範囲において適宜変更して実施できるものである。
【００２１】
この実施形態に係る画像形成装置においては、図１に示すように、黄色，マゼンタ色，シアン色，黒色の異なった色彩のトナーを収容させた４つの現像装置１１に対応させて、像保持部材１０となる４つの感光体ドラム１０を設けている。
【００２２】
ここで、この画像形成装置において、フルカラーの画像形成を行うにあたっては、上記の各感光体ドラム１０を回転させて、各感光体ドラム１０の表面をそれぞれ帯電装置１２によって帯電させ、このように帯電された各感光体ドラム１０に対して、それぞれ露光装置１３により画像データに従った露光を行って、各感光体ドラム１０の表面にそれぞれ静電潜像を形成する。
【００２３】
そして、このように静電潜像が形成された各感光体ドラム１０に対して、それぞれ対応する現像装置１１から所定の色彩のトナーを各感光体ドラム１０の静電潜像に供給して現像を行い、各感光体ドラム１０の表面にそれぞれの色彩のトナー像を形成する。
【００２４】
次いで、上記の各感光体ドラム１０に形成されたそれぞれの色彩のトナー像を、ローラ１４に架け渡されて駆動される無端ベルト状になった中間転写体１５にそれぞれローラ状になった一次転写装置１６により順々に一次転写させて、この中間転写体１５の上にフルカラーのトナー像を形成する。
【００２５】
次いで、このように中間転写体１５の上に形成されたフルカラーのトナー像を、この中間転写体１５によりローラ状になった二次転写装置１７と対向する位置に導くと共に、この画像形成装置の下部に収容された記録シートＳを、送りローラ１８により中間転写体１５と二次転写装置１７との間に導き、上記の二次転写装置１７により中間転写体１５の上に形成されたフルカラーのトナー像をこの記録シートＳに二次転写させる。
【００２６】
その後、フルカラーのトナー像が転写された記録シートＳを定着装置１９に導いて、転写されたフルカラーのトナー像を記録シートＳに定着させた後、このようにフルカラーのトナー像が定着された記録シートＳを排紙させる一方、記録シートＳに転写されずに上記の中間転写体１５に残ったトナー等の残留物を、第２クリーニング装置２０に設けられた第２クリーニングブレード２１によって中間転写体１５から除去させる。
【００２７】
そして、この実施形態の画像形成装置においては、前記のように中間転写体１５にトナー像を転写させた後の各感光体ドラム１０の表面に、図１及び図２に示すように、潤滑剤供給手段３０によって潤滑剤を供給し、その後、各感光体ドラム１０の表面に第１クリーニング装置４０に設けられた第１クリーニングブレード（押圧部材）４１の端部を圧接させて、各感光体ドラム１０の表面に残留しているトナー等の残留物を除去させると共に、各感光体ドラム１０の表面に供給された潤滑剤を各感光体ドラム１０の表面に塗布させるようにしている。
【００２８】
ここで、転写後の感光体ドラム１０の表面に潤滑剤を供給する潤滑剤供給手段３０として、この実施形態においては、図２及び図３に示すように、上記の感光体ドラム１０の表面に接触して回転するブラシローラ３１として、回転ローラ３１ａの外周に、多数のループ状ブラシ３１ｂが設けられた基布３１ｃを巻き付けたものを用い、このブラシローラ３１を感光体ドラム１０の軸方向に沿って設けると共に、このブラシローラ３１に対して、感光体ドラム１０の軸方向に沿って設けられた固形潤滑剤３２をバネ部材からなる押圧手段３３によって押圧させるようにしている。なお、上記の押圧手段３３によって、固形潤滑剤３２をブラシローラ３１に押圧させるにあたり、その押圧力が弱くなりすぎると、ブラシローラ３１によって固形潤滑剤３２から潤滑剤を十分に掻き取ることが困難になる一方、その押圧力が強くなりすぎると、ブラシローラ３１によって固形潤滑剤３２から潤滑剤が過剰に掻き取られたり、上記のループ状ブラシ３１ｂに永久歪みが生じ易くなるため、ブラシローラ３１に対する固形潤滑剤３２の押圧力を０．５〜７Ｎ／ｍの範囲にすることが好ましい。
【００２９】
そして、上記のブラシローラ３１を回転させて、このブラシローラ３１におけるループ状ブラシ３１ｂにより固形潤滑剤３２から潤滑剤を掻き取った後、このループ状ブラシ３１ｂを感光体ドラム１０の表面に接触させて、掻き取った潤滑剤を感光体ドラム１０の表面に供給するようにしている。
【００３０】
ここで、上記のブラシローラ３１としては、前記のようにループ状ブラシ３１ｂにおけるブラシの繊維太さが２〜８デニールの範囲、繊維密度が５０×１０３〜１５０×１０３本／ｉｎｃｈ２の範囲、ブラシ高さが１．５〜２．５ｍｍの範囲になったものを用いるようにしている。
【００３１】
また、この実施形態においては、上記のブラシローラ３１に対して、バイアス電源３４からトナーの帯電極性と同極性のバイアス電圧を印加させ、上記のようにループ状ブラシ３１ｂを感光体ドラム１０の表面に接触させて潤滑剤を感光体ドラム１０の表面に供給する際に、感光体ドラム１０の表面に残留しているトナー等の残留物がループ状ブラシ３１ｂに吸着されるのを防止している。
【００３２】
さらに、この実施形態においては、上記のようにループ状ブラシ３１ｂを感光体ドラム１０の表面に接触させて潤滑剤を感光体ドラム１０の表面に供給する位置よりもブラシローラ３１の回転方向下流側の位置において、上記のループ状ブラシ３１ｂと当接するように除去部材３５を設け、ループ状ブラシ３１ｂに付着したトナー等の付着物を除去させるようにしている。
【００３３】
そして、上記のようなループ状ブラシ３１ｂが設けられたブラシローラ３１により固形潤滑剤３２から潤滑剤を掻き取り、このループ状ブラシ３１ｂを感光体ドラム１０の表面に接触させて掻き取った潤滑剤を感光体ドラム１０の表面に供給させるようにすると、このブラシローラ３１を固形潤滑剤３２や感光体ドラム１０に押圧させる力を弱くしても、上記のループ状ブラシ３１ｂにより固形潤滑剤３２から適当量の潤滑剤が掻き取られて、感光体ドラム１０に表面に適当量の潤滑剤が供給されるようになり、このループ状ブラシ３１ｂに永久歪みが生じるのが防止されると共に、このループ状ブラシ３１ｂとの接触によって感光体ドラム１０の表面が傷つくのも抑制されるようになる。
【００３４】
さらに、上記のようにブラシローラ３１に対してバイアス電源３４からトナーの帯電極性と同極性のバイアス電圧を印加させると共に、除去部材３５によりループ状ブラシ３１ｂに付着したトナー等の付着物を除去させるようにすると、このループ状ブラシ３１ｂにトナー等の付着物が付着して蓄積するのが抑制され、このループ状ブラシ３１ｂによって固形潤滑剤３２から掻き取られる潤滑剤の量が変動するのが抑制され、感光体ドラム１０の表面に適当量の潤滑剤が長期にわたって安定して供給されるようになる。
【００３５】
この結果、この実施形態の画像形成装置においては、感光体ドラム１０の表面に適当量の潤滑剤が安定して塗布されるようになり、上記の第１クリーニングブレード（押圧部材）４１の端部や感光体ドラム１０の表面が摩耗するのが抑制され、長期にわたって安定した画像形成が行えるようになる。
【００３６】
なお、この実施形態の画像形成装置においては、感光体ドラム１０の表面に供給された潤滑剤を感光体ドラム１０の表面に塗布させる押圧部材に、感光体ドラム１０の表面に残留しているトナー等の残留物を除去させる第１クリーニング装置４０における第１クリーニングブレード４１を利用するようにしたが、この第１クリーニング装置４０を、上記の潤滑剤供給手段３０よりも感光体ドラム１０の回転方向上流側の位置に設け、潤滑剤供給手段３０よりも感光体ドラム１０の回転方向下流側の位置に別個の押圧部材（図示せず）を設けるようにすることも可能である。
【実施例】
【００３７】
次に、マイナスに帯電されるトナーを用いて反転現像を行う市販の複写機（コニカミノルタビジネステクノロジーズ社製：Ｂｉｚｈｕｂ  Ｃ６５０）を改造し、上記の実施形態に示すような潤滑剤供給手段を、感光体ドラムの表面に残留しているトナーを除去させるクリーニング部材よりも感光体ドラムの移動方向上流側に設けるようにした。
【００３８】
そして、上記のブラシローラや固形潤滑剤の種類を変更し、この発明の条件を満たす実施例のものと、この発明の条件を満たさない比較例のものとを比較するようにした。
【００３９】
ここで、上記のブラシローラとしては、厚みが０．５ｍｍの基布に繊維抵抗値が１０8Ωの導電性ポリエステル繊維で構成されたブラシが設けられたものを、直径が６ｍｍの金属製の回転ローラの外周に巻き付けたものを用いるようにした。
【００４０】
そして、ブラシローラに設ける上記のブラシとして、実施例１〜５及び比較例１〜９においては、下記の表１に示すように、ブラシの形状がループになったものと、直毛のものとを用い、また繊維太さ、繊維密度及びブラシ高さを、同表に示すように変更させたものを用いるようにした。
【００４１】
また、上記の固形潤滑剤として、ステアリン酸亜鉛からなる潤滑剤を所定の形状に成形したものを用いるようにし、実施例１〜５及び比較例１〜９においては、それぞれ上記の固形潤滑剤の密度が、下記の表１に示す密度になった固形潤滑剤を用いた。
【００４２】
そして、上記の各ブラシローラに対して上記の各固形潤滑剤をバネ部材からなる押圧手段により２Ｎ／ｍの力で押圧させ、感光体ドラムに対するブラシローラの表面速度比を０．７にして、各ブラシローラを感光体ドラムと反対方向に回転させると共に、上記のバイアス電源から各ブラシローラにトナーの帯電極性と同極性の−３００Ｖのバイアス電圧を印加させて、それぞれブラシローラにより固形潤滑剤から潤滑剤を掻き取って感光体ドラムに供給するようにした。
【００４３】
また、上記の除去部材としては、厚みが１ｍｍになったＳＵＳ３０４の板金を用い、この除去部材の端部が上記のブラシローラのブラシに対して０．５ｍｍ食込むように設けた。
【００４４】
また、上記のクリーニング部材としては、硬度（ＪＩＳ−Ａ）が７７度、反発弾性値が２０％のポリウレタンゴム製で厚みが２ｍｍの板状になったものを用い、このクリーニング部材の端部を保持部材から８ｍｍ突出させ、感光体ドラムの表面に対して当接角１０°、当接力２０Ｎ／ｍで当接させるようにした。
【００４５】
そして、上記の条件に設定した実施例１〜５及び比較例１〜９の各画像形成装置を使用し、それぞれ温度２３℃、湿度６５％ＲＨの環境条件で、面積率がそれぞれ５％になった各色彩の文字画像（合計面積率２０％）を連続して１０万枚プリントした後、それぞれ感光体ドラムの表面における傷及び摩耗量、ブラシローラにおけるブラシの永久歪み、固形潤滑剤の消費量の評価を行い、その結果を下記の表１に示した。
【００４６】
ここで、感光体ドラムの表面における傷の評価については、表面に傷の発生が全くない場合を◎、表面に傷が存在するが、画像上は傷によるノイズが全くない場合を○、表面に傷があり、画像上に僅かにノイズが発生した場合を△、表面に傷があり、画像上もノイズがはっきりと確認できる場合を×として評価した。
【００４７】
また、感光体ドラムの表面の摩耗量の評価については、摩耗量が０．２μｍ以上０．３μｍ未満である場合を◎、０．１５μｍ以上０．２μｍ未満又は０．３μｍ以上０．３５μｍ未満である場合を○、０．１μｍ以上０．１５μｍ未満又は０．３５μｍ以上０．４μｍ未満である場合を△、０．１μｍ未満又は０．４μｍ以上の場合を×として評価した。なお、感光体ドラムの表面の摩耗量が多すぎると、感光体ドラムの寿命が低下する一方、感光体ドラムの表面の摩耗量が少なすぎると、感光体ドラムの表面の劣化した部分が除去されず、良好な画像が得られなくなる。
【００４８】
また、ブラシローラにおけるブラシの永久歪みの評価については、ローラの外径の維持率が９５％以上である場合を◎、９５％未満９３％以上である場合を○、９３％未満９１％以上である場合を△、９１％未満である場合を×として評価した。
【００４９】
また、固形潤滑剤の消費量の評価については、固形潤滑剤の重量減少が０．６ｇ以上０．６５ｇ未満であった場合を◎、０．５５ｇ以上０．６ｇ未満又は０．６５ｇ以上０．７ｇ未満であった場合を○、０．５ｇ以上０．５５ｇ未満又は０．７ｇ以上０．７５ｇ未満であった場合を△、０．５ｇ未満又は０．７５ｇ以上であった場合を×として評価した。なお、固形潤滑剤の消費量が多くなりすぎると、固形潤滑剤の寿命が短くなる一方、固形潤滑剤の消費量が少なすぎると、感光体ドラムの表面に潤滑剤が十分に供給されず、上記の第１クリーニングブレードの端部や感光体ドラムの表面が摩耗しやすくなる。
【００５０】
【表１】
2010185896.tif 000003
この結果、ブラシローラにおけるブラシが直毛である比較例１，２のものにおいては、感光体ドラムや固形潤滑剤に対してブラシが接触する圧力が大きくなり、感光体ドラムの傷や摩耗が大きくなると共に、固形潤滑剤の消費量も大きくなる傾向にある。
【００５１】
また、ブラシがループ状になったブラシローラを用いた実施例１〜５及び比較例３〜９のものを比較した場合、ループ状ブラシの繊維密度が５０×１０３本／ｉｎｃｈ２未満になった比較例３のものや、ブラシ高さが２．５ｍｍを越える比較例４のものや、固形潤滑剤の密度が１．１ｇ／ｃｍ３を越える比較例５のものにおいては、上記のブラシローラによって固形潤滑剤から潤滑剤を十分に掻き取ることができなくなり、感光体ドラムの表面に適当量の潤滑剤を供給することができなかった。
【００５２】
また、ループ状ブラシの繊維太さが８デニールを超える比較例６のものや、繊維密度が１５０×１０３本／ｉｎｃｈ２を越える比較例７のものや、ブラシ高さが１．５ｍｍ未満になった比較例８のものにおいては、上記のブラシローラにおけるループ状ブラシと感光体ドラムや固形潤滑剤との接触が強くなり、感光体ドラムの表面における摩耗量が多くなると共に、固形潤滑剤から潤滑剤が過剰に掻き取られて、固形潤滑剤の寿命が大きく低下した。
【００５３】
また、固形潤滑剤の密度が０．８ｇ／ｃｍ３未満になった比較例９のものにおいては、ブラシローラにおけるループ状ブラシによって固形潤滑剤から潤滑剤が過剰に掻き取られて、固形潤滑剤の寿命が大きく低下した。
【００５４】
これに対して、ブラシローラにおけるループ状ブラシの繊維太さが２〜８デニールの範囲、繊維密度が５０×１０３〜１５０×１０３本／ｉｎｃｈ２の範囲、ブラシ高さが１．５〜２．５ｍｍの範囲であると共に、固形潤滑剤の密度が０．８〜１．１ｇ／ｃｍ３の範囲のものを用いた実施例１〜５においては、ブラシローラにおけるループ状ブラシにより固形潤滑剤から適当量の潤滑剤が掻き取られて、感光体ドラムの表面に適当量の潤滑剤が供給されるようになり、固形潤滑剤の寿命が大きく低下するということがなく、感光体ドラムの表面の摩耗量も少なくなり、長期にわたって安定した画像形成が行えた。
【符号の説明】
【００５５】
１０  感光体ドラム（像保持部材）
１１  現像装置
１２  帯電装置
１３  露光装置
１４  ローラ
１５  中間転写体
１６  一次転写装置
１７  二次転写装置
１８  送りローラ
１９  定着装置
２０  第２クリーニング装置
２１  第２クリーニングブレード
３０  潤滑剤供給手段
３１  ブラシローラ
３１ａ  回転ローラ
３１ｂ  ループ状ブラシ
３１ｃ  基布
３２  固形潤滑剤
３３  押圧手段
３４  バイアス電源
３５  除去部材
４０  第１クリーニング装置
４１  第１クリーニングブレード（押圧部材）
Ｓ  記録シート
【図１】
2010185896.tif 000004
【図２】
2010185896.tif 000005
【図３】
2010185896.tif 000006